(57)【要約】【課題】  式典欠席者が主催者にメッセージを送る手間を低減することのできるメッセージ表装システム、サーバ、メッセージ表装プログラムを提供する。【解決手段】  招待客が招待客コンピュータ１５のモニタＤ２の画面に表示された出欠情報入力画面にて、マウスＭ２で第２及び第３チェックボックスを選択したとき、管理サーバ１１は、その招待客は欠席し、さらに新郎新婦にメッセージを送信すると判断する。そして、管理サーバ１１は、その欠席者の招待客コンピュータ１５のモニタＤ２の画面にメッセージ入力画面を表示させる。欠席者のうちメッセージ送信を希望する者は、メッセージ入力画面から台紙及びメッセージを選択し、管理サーバ１１に送信する。そして、管理サーバ１１は、メッセージを台紙にて祝電の表装をした祝電データを生成し、その祝電データをプリンタ１７にて印刷する。【選択図】      図１
2007034527.tif 000002
【特許請求の範囲】
【請求項１】
サーバと少なくとも１つのクライアントと出力機器とが接続され、関係者から主催者への式典に関するメッセージを表装して出力するメッセージ表装システムであって、
前記クライアントが、
前記メッセージを入力可能な入力部を前記サーバから受信する入力部受信手段と、
前記式典に出席しない関係者に入力部へのメッセージの入力を促す入力手段と、
前記入力されたメッセージを前記サーバに送信する送信手段と
を備え、
前記サーバが、
前記メッセージを入力可能な入力部を前記クライアントに送信する入力部送信手段と、
前記入力手段が入力したメッセージを受信する受信手段と、
前記メッセージを電報の形態に表装した電報データを生成する電報データ生成手段と、
前記電報データを前記出力機器に送信する電報データ送信手段と、
前記出力機器が、
前記電報データを受信する電報データ受信手段と、
前記電報データを出力部に出力する出力手段と
を備えたことを特徴とするメッセージ表装システム。
【請求項２】
請求項１に記載のメッセージ表装システムであって、
前記クライアントが、
前記関係者に前記式典を欠席する旨の欠席情報の入力を促す出欠入力手段と、
前記欠席情報を前記サーバに送信する欠席情報送信手段と
をさらに備え、
前記サーバが、
前記欠席情報を受信する欠席情報受信手段と、
前記入力部送信手段は、前記欠席情報を受信したとき、前記メッセージを入力可能な入力部を前記クライアントに送信することを特徴とするメッセージ表装システム。
【請求項３】
請求項２に記載のメッセージ表装システムであって、
前記クライアントが、
前記出欠入力手段が欠席情報を入力したとき、前記メッセージから電報データを生成するか否かの選択を前記式典を欠席する関係者に促す電報生成選択手段をさらに備え、
前記サーバの前記入力部送信手段は、
前記電報生成選択手段が電報データの生成を選択したとき、前記入力部を前記クライアントに送信することを特徴とするメッセージ表装システム。
【請求項４】
請求項２または３に記載のメッセージ表装システムであって、
前記クライアントが、
前記入力部の送信要求を前記サーバに送信する送信要求手段をさらに備え、
前記サーバの入力部送信手段が、
前記送信要求を受信したとき、前記入力部を前記クライアントに送信することを特徴とするメッセージ表装システム。
【請求項５】
少なくとも１つのクライアント及び出力機器と接続可能な、関係者から主催者への式典に関するメッセージを表装するサーバであって、
前記メッセージを入力可能な入力部を送信可能にする入力部送信可能化手段と、
前記クライアントから送信されたメッセージを受信する受信手段と、
前記メッセージを電報の形態に表装した電報データを生成する電報データ生成手段と
を備えたことを特徴とするサーバ。
【請求項６】
請求項５に記載のサーバであって、
前記関係者が前記式典を欠席する旨の欠席情報を受信する欠席情報受信手段をさらに備え、
前記入力部送信可能化手段は、前記欠席情報を受信したとき、前記メッセージを入力可能な入力部を前記クライアントに送信可能にすることを特徴とするサーバ。
【請求項７】
請求項６に記載のサーバであって、
前記入力部送信可能化手段は、
前記クライアントが電報データの生成を選択したとき、前記入力部を送信可能にすることを特徴とするサーバ。
【請求項８】
請求項６または７に記載のサーバであって、
前記入力部送信可能化手段は、
前記クライアントから入力部の送信要求を受信したとき、前記入力部を送信可能にすることを特徴とするサーバ。
【請求項９】
少なくとも１つのクライアント及び出力機器と接続可能な、関係者から主催者への式典に関するメッセージを表装するサーバを、
前記メッセージを入力可能な入力部を送信可能にする入力部送信可能化手段と、
前記クライアントから送信されたメッセージを受信する受信手段と、
前記メッセージを電報の形態に表装した電報データを生成する電報データ生成手段と
して機能させることを特徴とするメッセージ表装プログラム。
【発明の詳細な説明】
【技術分野】
【０００１】
本発明は、メッセージ表装システム、サーバ、メッセージ表装プログラムに関する。
【背景技術】
【０００２】
従来、結婚式を予定している新郎新婦は、式場選び、式の日取り、衣装、料理等、結婚式の当日までに多くのことを決定する際、式場に何度も出向いて、披露宴等の段取りの提案や料金見積を行うプランナーと長時間の打合せを行っており、多大な時間と手間を要していた。
【０００３】
これに対し、結婚式、披露宴のシミュレーションを疑似体験できる結婚式シミュレーション方法が提案されている（例えば、特許文献１）。この結婚式シミュレーション方法は、結婚式シミュレーション提供側が、予め披露宴会場、衣装等の各種素材情報の画像データ、音声データ及び各単価を登録する。そして、それら素材情報から新郎新婦が希望する素材を選択し、新郎新婦自身の写真を画像データとしてアップロードして登録すると、新郎新婦は、自分達の画像データと選択した各種素材との合成画像や動画を見ることができる。これにより、プランナーとの打合せ回数や手間を低減できていた。
【特許文献１】特開２００１−３５７１４８号公報
【発明の開示】
【発明が解決しようとする課題】
【０００４】
ところで、結婚式当日、止むを得ず欠席する知人等の第三者が新郎新婦に祝電を打ちたいことがある。これに対し、特許文献１に記載の結婚式シミュレーション方法では、新郎新婦の準備に対するサポートはできたが、第三者が新郎新婦に対して行う行為については、サポートできなかった。そのため、第三者が個別に祝電を用意する手間が必要であった。さらに、祝電は結婚式に関わるものであるにも関わらず、その祝電から得られる収入は電報を提供する会社が得るものであって、結婚式を行う会場は得ることができなかった。
【０００５】
本発明は、上記問題を解決するためになされたものであり、その目的は、式典欠席者が主催者にメッセージを送る手間を低減することのできるメッセージ表装システム、サーバ、メッセージ表装プログラムを提供することにある。
【課題を解決するための手段】
【０００６】
上記問題点を解決するために、本発明のメッセージ表装システムは、サーバと少なくとも１つのクライアントと出力機器とが接続され、関係者から主催者への式典に関するメッセージを表装して出力するメッセージ表装システムであって、前記クライアントが、前記メッセージを入力可能な入力部を前記サーバから受信する入力部受信手段と、前記式典に出席しない関係者に入力部へのメッセージの入力を促す入力手段と、前記入力されたメッセージを前記サーバに送信する送信手段とを備え、前記サーバが、前記メッセージを入力可能な入力部を前記クライアントに送信する入力部送信手段と、前記入力手段が入力したメッセージを受信する受信手段と、前記メッセージを電報の形態に表装した電報データを生成する電報データ生成手段と、前記電報データを前記出力機器に送信する電報データ送信手段と、前記出力機器が、前記電報データを受信する電報データ受信手段と、前記電報データを出力部に出力する出力手段とを備えた。
【０００７】
この発明によれば、クライアントはメッセージを入力可能な入力部をサーバから受信し、式典に出席しない関係者に入力部へのメッセージの入力を促し、入力されたメッセージをサーバに送信する。サーバはメッセージを入力可能な入力部をクライアントに送信し、
入力されたメッセージを電報の形態に表装した電報データを生成し、その電報データを出力機器に送信する。出力機器は、その電報データを出力部に出力する。この結果、主催者の関係者であって、式典に出席しない関係者がメッセージを入力するだけで、そのメッセージは電報の表装がされるので、式典に出席しない関係者が主催者に電報を打つことがない。従って、関係者の電報の打電に要する手間と費用を低減することができる。
【０００８】
本発明のメッセージ表装システムであって、前記クライアントが、前記関係者に前記式典を欠席する旨の欠席情報の入力を促す出欠入力手段と、前記欠席情報を前記サーバに送信する欠席情報送信手段とをさらに備え、前記サーバが、前記欠席情報を受信する欠席情報受信手段と、前記入力部送信手段は、前記欠席情報を受信したとき、前記メッセージを入力可能な入力部を前記クライアントに送信する。
【０００９】
この発明によれば、クライアントが、関係者に式典を欠席する旨の欠席情報の入力を促し、入力された欠席情報をサーバに送信する。そして、サーバが、その欠席情報を受信したとき、メッセージを入力可能な入力部をクライアントに送信する。この結果、例えば、サーバは、クライアントを介して主催者が招待した主催者の関係者に式典の出欠を確認し、式典を欠席する関係者のクライアントにのみメッセージを入力可能な入力部を送信できる。従って、欠席する関係者の電報の打電に要する手間と費用を低減しながらも、サーバとクライアントとの間で送受信する情報量を低減することができる。
【００１０】
本発明のメッセージ表装システムであって、前記クライアントが、前記出欠入力手段が欠席情報を入力したとき、前記メッセージから電報データを生成するか否かの選択を前記式典を欠席する関係者に促す電報生成選択手段をさらに備え、前記サーバの前記入力部送信手段は、前記電報生成選択手段が電報データの生成を選択したとき、前記入力部を前記クライアントに送信する。
【００１１】
この発明によれば、クライアントが欠席情報を入力したとき、メッセージから電報データを生成するか否かの選択を式典を欠席する関係者に促し、サーバは、クライアントが電報データの生成を選択したとき入力部をクライアントに送信する。この結果、式典を欠席する関係者のうち、メッセージを電報の表装にしたい関係者の入力したメッセージについてのみ、電報データを生成することができる。従って、電報データの生成に要する処理を必要最低限にすることができる。また、出力機器が出力する電報データも必要最低限の量にすることができる。
【００１２】
本発明のメッセージ表装システムであって、前記クライアントが、前記入力部の送信要求を前記サーバに送信する送信要求手段をさらに備え、前記サーバの入力部送信手段が、前記送信要求を受信したとき、前記入力部を前記クライアントに送信する。
【００１３】
この発明によれば、クライアントが入力部の送信要求をサーバに送信し、サーバがその送信要求を受信したとき、入力部をクライアントに送信する。この結果、例えば、式典を欠席する関係者の都合に合わせてメッセージを入力することができる。従って、欠席する関係者の都合に合わせながらも、電報の打電に要する手間と費用を低減することができる。
【００１４】
本発明のサーバは、少なくとも１つのクライアント及び出力機器と接続可能な、関係者から主催者への式典に関するメッセージを表装するサーバであって、前記メッセージを入力可能な入力部を送信可能にする入力部送信可能化手段と、前記クライアントから送信されたメッセージを受信する受信手段と、前記メッセージを電報の形態に表装した電報データを生成する電報データ生成手段とを備えた。
【００１５】
本発明のメッセージ表装プログラムは、少なくとも１つのクライアント及び出力機器と接続可能な、関係者から主催者への式典に関するメッセージを表装するサーバを、前記メッセージを入力可能な入力部を送信可能にする入力部送信可能化手段と、前記クライアントから送信されたメッセージを受信する受信手段と、前記メッセージを電報の形態に表装した電報データを生成する電報データ生成手段として機能させる。
【００１６】
これらの発明によれば、サーバは、メッセージを入力可能な入力部を送信可能にし、クライアントから送信されたメッセージを受信し、メッセージを電報の形態に表装した電報データを生成する。この結果、主催者の関係者であって、式典に出席しない関係者がメッセージを入力するだけで、そのメッセージは電報の表装がされるので、式典に出席しない関係者が主催者に電報を打つことがない。従って、関係者の電報の打電に要する手間と費用を低減することができる。
【００１７】
本発明に記載のサーバであって、前記関係者が前記式典を欠席する旨の欠席情報を受信する欠席情報受信手段をさらに備え、前記入力部送信可能化手段は、前記欠席情報を受信したとき、前記メッセージを入力可能な入力部を前記クライアントに送信可能にする。
【００１８】
この発明によれば、サーバが、関係者が前記式典を欠席する旨の欠席情報を受信したとき、メッセージを入力可能な入力部をクライアントに送信可能にする。この結果、例えば、サーバは、式典を欠席する関係者のクライアントにのみメッセージを入力可能な入力部を送信可能にできる。従って、欠席する関係者の電報の打電に要する手間と費用を低減しながらも、サーバとクライアントとの間で送受信する情報量が増加するのを未然に防止することができる。
【００１９】
本発明に記載のサーバであって、前記入力部送信可能化手段は、前記クライアントが電報データの生成を選択したとき、前記入力部を送信可能にする。
この発明によれば、サーバは、クライアントが電報データの生成を選択したとき入力部をクライアントに送信可能にする。この結果、式典を欠席する関係者のうち、メッセージを電報の表装にしたい関係者の入力したメッセージについてのみ、電報データを生成することができる。従って、電報データの生成に要する処理を必要最低限にすることができる。
【００２０】
本発明に記載のサーバであって、前記入力部送信可能化手段は、前記クライアントから入力部の送信要求を受信したとき、前記入力部を送信可能にする。
この発明によれば、サーバは、クライアントが送信した入力部の送信要求を受信したとき、入力部をクライアントに送信可能にする。この結果、例えば、式典を欠席する関係者の都合に合わせてメッセージを入力することができる。従って、欠席する関係者の都合に合わせながらも、電報の打電に要する手間と費用を低減することができる。
【発明を実施するための最良の形態】
【００２１】
以下、本発明を具体化した一実施形態を図１〜図８に従って説明する。本実施形態では、メッセージ表装システムを、例えば、式典としての結婚式や披露宴（以下、披露宴と言う）に招待されたが止むを得ず欠席する関係者としての新郎新婦の知人が、祝電を打つ代わりに主催者としての新郎新婦にメッセージを送信し、ホテル等の結婚サービス業者が、そのメッセージを祝電の表装にして印刷する場合について説明する。
【００２２】
図１に示すように、管理サーバ１１は、披露宴に関する各種情報の送受信及び各記憶部に格納されるデータの読み出し、書き込み等を行うＣＰＵ１２を有する。ＣＰＵ１２は、インターネット等のネットワークＩを介して少なくとも１台の主催者コンピュータ１３、クライアントとしての複数の招待客コンピュータ１５に接続されている。管理サーバ１１
は、本実施形態では、ネットワークＩを通じて披露宴のシミュレーションを行うブライダルシミュレータやそれに付随する披露宴の準備や進行をサポートするサービスを新郎新婦等の顧客に利用させる結婚サービス業者が所有するサーバである。主催者コンピュータ１３は、新郎新婦がそれぞれ所有する少なくとも１台の端末である。そして、招待客コンピュータ１５は、新郎新婦が披露宴に招待する招待客がそれぞれ所有する端末である。なお、図１では、説明の便宜上、招待客コンピュータ１５は２台しか図示していないが、実際はそれ以上の招待客コンピュータ１５が管理サーバ１１と接続されている。また、主催者コンピュータ１３についても同様に２台しか図示していないが、実際はそれ以上の主催者コンピュータ１３が管理サーバ１１と接続されていてもよい。また、ＣＰＵ１２は、ＵＳＢケーブル等のケーブルＣを介して出力機器としてのプリンタ１７に接続されている。
【００２３】
管理サーバ１１は、ＣＰＵ１２等の制御部、図示しないＲＡＭ及びＲＯＭ等の記憶部、及び通信手段等を備えている。このＣＰＵ１２は、ＲＯＭに記憶された各種プログラムに従って、主催者コンピュータ１３、招待客コンピュータ１５及びプリンタ１７と各種データの送受信を行う。また、ＣＰＵ１２は、管理サーバ１１が記憶している後述する祝電データＴをプリンタ１７に出力する。また、管理サーバ１１には、結婚サービス業者が新郎新婦用、招待客用、それぞれに開設したホームページのデータが記憶されている。すなわち、本実施形態では、このＣＰＵ１２（管理サーバ１１）が、入力部送信手段、受信手段、電報データ生成手段、電報データ送信手段、欠席情報受信手段、入力部送信可能化手段等として機能する。
【００２４】
図２に示すように、主催者コンピュータ１３は、ＣＰＵ１３ａ等の制御部、ＲＡＭ１３ｂ及びＲＯＭ１３ｃ等の記憶部、及び通信手段１３ｄ等を備えている。この主催者コンピュータ１３は、ＲＯＭ１３ｃに記憶された各種プログラムに従って、通信手段１３ｄを介してＣＰＵ１２と各種データの送受信を行う。
【００２５】
また、図１及び図２に示すように、主催者コンピュータ１３は、キーボードＫ１、マウスＭ１等の入力手段を備えており、結婚サービス業者が開設したホームページへの入力等を行うための各種操作信号をこれら入力手段を介して主催者コンピュータ１３に入力する。また、主催者コンピュータ１３はモニタＤ１を備えている。そのモニタＤ１は、例えば、画像を表示するＬＣＤ（Liquid Crystal Display）等であって、モニタＤ１の画面上にＣＰＵ１２から送信された各種データ等を出力表示する。
【００２６】
図３に示すように、招待客コンピュータ１５は、ＣＰＵ１５ａ等の制御部、ＲＡＭ１５ｂ及びＲＯＭ１５ｃ等の記憶部、及び通信手段１５ｄ等を備えている。この招待客コンピュータ１５は、ＲＯＭ１５ｃに記憶された各種プログラムに従って、通信手段１５ｄを介してＣＰＵ１２と各種データの送受信を行う。すなわち、本実施形態では、この招待客コンピュータ１５が、入力部受信手段、入力手段、送信手段、出欠入力手段、欠席情報送信手段、電報生成選択手段等として機能する。
【００２７】
また、図１及び図３に示すように、招待客コンピュータ１５は、キーボードＫ２、マウスＭ２等の入力手段を備えており、結婚サービス業者が開設したホームページへの入力等を行うための各種操作信号をこれら入力手段を介して招待客コンピュータ１５に入力する。また、招待客コンピュータ１５はモニタＤ２を備えている。そのモニタＤ２は、例えば、画像を表示するＬＣＤ（Liquid Crystal Display）等であって、モニタＤ２の画面上にＣＰＵ１２から送信された各種データ等を出力表示する。
【００２８】
プリンタ１７は、本実施形態では、レーザプリンタであって、図４に示すように、ＣＰＵ１７ａ、ＲＡＭ１７ｂ、ＲＯＭ１７ｃ及びＡＳＩＣ（ Application Specific Integrated Circuit）１７ｄ等を備えている。ＣＰＵ１７ａはＲＯＭ１７ｃに記憶されたプログラ
ムを実行することで、ＡＳＩＣ１７ｄに対し印刷制御上必要な指示を出し、管理サーバ１１から送信された印刷データに基づいて駆動部ＤＲを制御して印刷を行うようになっている。また、プリンタ１７は、通信手段１７ｅを備えており、管理サーバ１１と各種データの送受信を行う。すなわち、本実施形態では、このプリンタ１７が電報データ受信手段、出力手段等として機能する。
【００２９】
管理サーバ１１は、図１に示すように、招待客データ記憶部２１、台紙データ記憶部２３、メッセージデータ記憶部２５を有する。図５に示すように、招待客データ記憶部２１は、第１招待客データ２１ａを備えている。第１招待客データ２１ａには、結婚サービス業者が管理サーバ１１上に開設した招待客用ホームページに、招待客がそれぞれの招待客コンピュータ１５を介して入力した招待客に関する情報や、各招待客の出欠情報、メッセージの有無、メッセージ等が各招待客の参加する披露宴（新郎新婦）毎に記憶されている。
【００３０】
第１招待客データ２１ａは、第１顧客識別情報３１、第２招待客データ２１ｂを備えている。第１顧客識別情報３１は、新郎新婦毎に与えられる固有の識別情報であって、ＣＰＵ１２から送信されて登録される。第２招待客データ２１ｂは、第２顧客識別情報３３、招待客データ３５、欠席情報としての出欠情報３７、メッセージ有無３９、台紙４１、メッセージ４３、電報データとしての祝電データＴを備えている。
【００３１】
第２顧客識別情報３３は、招待客全員に披露宴（新郎新婦）毎に与えられる固有の識別情報であって、ＣＰＵ１２から送信されて登録される。なお、この第２顧客識別情報３３は、招待客全員に対して共通の識別情報である。招待客データ３５は、各招待客に関する個人情報であって、住所、電話番号、電子メールアドレス、生年月日、勤務先等が招待客によって招待客コンピュータ１５のキーボードＫ２やマウスＭ２等を介して入力され、招待客毎に記憶されている。出欠情報３７は、各招待客が出席するか否かの情報である。メッセージ有無３９は、招待客のうち欠席する招待客（以下、欠席者という）がメッセージを送るか否かの情報である。台紙４１は、後述する台紙データ記憶部２３に記憶された各種台紙のうち、招待客が選択する台紙である。メッセージ４３は、各招待客が新郎新婦へ送信するお祝いメッセージである。また、祝電データＴは、メッセージ４３を台紙４１によって祝電の体裁に整えたデータである。
【００３２】
台紙データ記憶部２３は、欠席者の入力したメッセージを祝電の形態に表装する際の台紙が複数種類記憶されている。また、メッセージデータ記憶部２５は、祝電用のメッセージの定型文であって、複数種類記憶されている。
【００３３】
次に、招待客コンピュータ１５のモニタＤ２の画面に表示される表示画面について、図６及び図７に従って説明する。表示画面には出欠情報入力画面Ｅ１（図６参照）、入力部としてのメッセージ入力画面Ｅ２（図７参照）の２種類がある。
【００３４】
図６に示すように、出欠情報入力画面Ｅ１は、結婚サービス業者が管理サーバ１１上に開設した招待客用ホームページのうちの一画面であって、各招待客がそれぞれの出欠情報、メッセージの有無を入力するための画面である。なお、この招待客用ホームページのＵＲＬは、新郎新婦が主催者コンピュータ１３を介して各招待客の招待客コンピュータ１５に予め送信した電子メール等に記載されており、各招待客が招待客コンピュータ１５を介して招待客用ホームページにアクセス可能になっている。
【００３５】
出欠情報入力画面Ｅ１には、氏名欄５１、出席欄５３、欠席欄５５、メッセージ欄５７が表示されている。そして、氏名欄５１には各招待客が氏名を入力するための入力ボックスＢ１が、出席欄５３には出席するか否かを選択するための第１チェックボックスＣＢ１
が表示されている。さらに、欠席欄５５には欠席するか否かを選択するための第２チェックボックスＣＢ２、メッセージ欄５７にはメッセージを入力するか否かを選択するための第３チェックボックスＣＢ３がそれぞれ表示されている。なお、本実施形態では、説明の便宜上、招待客に関する情報として氏名のみを入力可能としたが、氏名以外の住所、電話番号、ＦＡＸ番号、電子メールアドレス等も入力可能としてもよい。
【００３６】
まず、招待客は、出欠情報入力画面Ｅ１にて、招待客コンピュータ１５のキーボードＫ２を介して各自の氏名を入力ボックスＢ１に入力する。次に、招待客は、招待客コンピュータ１５のマウスＭ２を介して出席するか否かを選択する。すなわち、出席するとき、招待客は、マウスＭ２で第１チェックボックスＣＢ１をクリックすることによって、出席することを選択する。一方、欠席するとき、招待客（欠席者）は、マウスＭ２で第２チェックボックスＣＢ２をクリックすることによって、欠席することを選択する。そして、欠席者は、さらに、第３チェックボックスＣＢ３をマウスＭ２でクリックすることによって新郎新婦にお祝いのメッセージ（電報）を入力することを選択する。このようにして、出欠情報、メッセージの有無を入力した招待客が、ＯＫボタンＢＯをマウスＭ２でクリックすることによって、招待客コンピュータ１５は氏名、出欠情報、メッセージの有無を管理サーバ１１に送信する。そして、それらを受信した管理サーバ１１は、招待客の氏名を招待客データ３５、出席するか否かを出欠情報３７、メッセージがあるか否かをメッセージ有無３９として、招待客データ記憶部２１に記憶する。なお、入力間違い等があったとき、招待客は、招待客コンピュータ１５のマウスＭ２でキャンセルボタンＣＯをクリックすることによって、再入力することができる。
【００３７】
そして、欠席者のうち、第３チェックボックスＣＢ３をマウスＭ２でクリックした欠席者の招待客コンピュータ１５のモニタＤ２の画面には、メッセージ入力画面Ｅ２が表示される。図７に示すように、メッセージ入力画面Ｅ２は、結婚サービス業者が管理サーバ１１上に開設した欠席者用ホームページのうちの一画面であって、欠席者が新郎新婦に送信するお祝いメッセージを入力するための画面である。
【００３８】
メッセージ入力画面Ｅ２には、氏名欄６１、台紙欄６３、メッセージ欄６５が表示されている。そして、氏名欄６１には出欠情報入力画面Ｅ１にて各招待客が入力した氏名が自動的に入力される。台紙欄６３には、メッセージを表装する台紙を選択するためのプルダウンメニューＰＤ１が表示されている。すなわち、台紙データ記憶部２３に記憶された複数の台紙データがこのプルダウンメニューＰＤ１を用いて選択可能になっている。そして、メッセージ欄６５には、定型文メッセージを選択するためのプルダウンメニューＰＤ２が表示されている。すなわち、メッセージデータ記憶部２５に記憶された定型文のメッセージがプルダウンメニューＰＤ２を用いて選択可能になっている。さらに、メッセージ欄６５には、自作のメッセージを入力するための入力ボックスＢ２も表示されている。
【００３９】
まず、欠席者は、メッセージ入力画面Ｅ２のプルダウンメニューＰＤ１をマウスＭ２でクリックすることによって、メッセージを表装する台紙を選択する。次に、欠席者は定型文のメッセージを送信するときには、プルダウンメニューＰＤ２をマウスＭ２でクリックすることによって、定型文のメッセージを選択する。一方、自作のメッセージを送信するときには、欠席者は入力ボックスＢ２にキーボードＫ２を介してメッセージを入力する。そして、台紙の選択、メッセージの入力が終了した欠席者が、ＯＫボタンＢＯをマウスＭ２でクリックすることによって、招待客コンピュータ１５から管理サーバ１１に選択した台紙とメッセージが送信される。そして、それらを受信した管理サーバ１１は、台紙を台紙４１として、メッセージをメッセージ４３として招待客データ記憶部２１に記憶する。そして、管理サーバ１１（ＣＰＵ１２）は、そのメッセージ４３と台紙４１によって祝電の体裁に整えた祝電データＴを作成し、招待客データ記憶部２１に登録する。なお、入力間違い等があったとき、招待客は、招待客コンピュータ１５のマウスＭ２でキャンセルボ
タンＣＯをクリックすることによって、再入力することができる。
【００４０】
次に、メッセージを作成するメッセージ表装処理を図８に従って説明する。このとき、本実施形態では、招待客用ホームページのＵＲＬが予め新郎新婦の主催者コンピュータ１３から招待客の招待客コンピュータ１５に送信され、各招待客コンピュータ１５のモニタＤ２の画面には、招待客用ホームページ（出欠情報入力画面Ｅ１）が表示されているとする。
【００４１】
まず、招待客コンピュータ１５は、氏名、出欠情報を入力する（ステップＳ１−１０）。各招待客は、各招待客コンピュータ１５のキーボードＫ２やマウスＭ２等の入力手段を介して各自の氏名と欠席するか否か、電報の有無を出欠情報入力画面Ｅ１（図６参照）に入力する。そして、招待客コンピュータ１５は、管理サーバ１１にその氏名と欠席するか否かを送信し（ステップＳ１−１５）、管理サーバ１１は、それらを受信し（ステップＳ１−２０）、招待客データ記憶部２１に登録する（ステップＳ１−２５）。次に、管理サーバ１１は、その招待客がメッセージを送信するか否かを判断する（ステップＳ１−３０）。招待客が出席するとき、または欠席するがメッセージを送信しないとき（ステップＳ１−３０でＮＯ）、すなわち、招待客が招待客コンピュータ１５のマウスＭ２を介して第１チェックボックスＣＢ１，ＣＢ２（図６参照）のいずれかのみをクリックしたとき、このメッセージ表装処理を終了する。
【００４２】
一方、欠席者がメッセージを送信すると判断したとき（ステップＳ１−３０でＹＥＳ）、すなわち、欠席者がマウスＭ２を介して第３チェックボックスＣＢ３（図６参照）をクリックしたとき、管理サーバ１１は、欠席者の招待客コンピュータ１５のモニタＤ２の画面にメッセージ入力画面Ｅ２（図７参照）を送信する（ステップＳ１−３５）。
【００４３】
招待客コンピュータ１５は、メッセージ入力画面Ｅ２を受信すると、モニタＤ２の画面に表示する（ステップＳ１−４０）。メッセージ入力画面Ｅ２にて、欠席者は、メッセージを表装するための台紙を選択する（ステップＳ１―４５）。すなわち、欠席者は、メッセージ入力画面Ｅ２の台紙欄６３のプルダウンメニューＰＤ１をマウスＭ２でクリックすることによって、所望の台紙を選択する。次に、欠席者は、メッセージを入力する（ステップＳ１−５０）。すなわち、欠席者が定型文のメッセージを選択するとき、メッセージ入力画面Ｅ２のメッセージ欄６５のプルダウンメニューＰＤ２をマウスＭ２でクリックして所望のメッセージを選択する。または、欠席者が自作のメッセージを入力するとき、入力ボックスＢ２にキーボードＫ２を介して自作のメッセージを入力する。
【００４４】
次に、招待客コンピュータ１５は、選択した台紙、メッセージを管理サーバ１１に送信する（ステップＳ１―５５）。すなわち、欠席者によって、メッセージ入力画面Ｅ２のＯＫボタンＢＯをマウスＭ２でクリックすることによって、招待客コンピュータ１５は台紙、メッセージを管理サーバ１１に送信する。管理サーバ１１は、それらを受信すると（ステップＳ１−６０）、招待客データ記憶部２１に登録する（ステップＳ１−６５）。そして、管理サーバ１１（ＣＰＵ１２）は、メッセージ４３を台紙４１で表装する（ステップＳ１−７０）。すなわち、ＣＰＵ１２は、台紙４１とメッセージ４３を合成して、メッセージ４３を祝電の体裁に整えた祝電データＴを作成する。そして、管理サーバ１１（ＣＰＵ１２）は、この祝電データＴをプリンタ１７に送信する（ステップＳ１―７５）。プリンタ１７は祝電データＴを受信すると（ステップＳ１−８０）、ＲＡＭ１７ｂに一時記憶する。そして、プリンタ１７は、ＲＡＭ１７ｂに一時記憶した祝電データＴを印刷し（ステップＳ１−８５）、このメッセージ表装処理を終了する。なお、本実施形態では、このステップＳ１−８５の処理が出力部に出力することに相当する。
【００４５】
同様に、管理サーバ１１（ＣＰＵ１２）は、全ての招待客の招待客コンピュータ１５と
の間でこのメッセージ表装処理を実行する。そして、披露宴当日、担当者が印刷した祝電データＴを披露する。披露宴終了後、結婚サービス業者は、主催者に祝電データＴの作成、印刷に要した料金を請求する。この結果、欠席者は祝電を打つことなく、主催者に祝電の表装がされたメッセージを送信することができることから、欠席者の祝電を打つ手間、費用を低減することができる。また、従来、祝電に関する収入は結婚サービス業者に入ってこなかったが、主催者から祝電データＴの作成、印刷に要する費用を得ることができるので、結婚サービス業者の披露宴から得られる収入を増加することができる。
【００４６】
上記実施形態によれば、以下のような効果を得ることができる。
（１）  本実施形態によれば、欠席者のうちメッセージ送信を希望する者は、招待客コンピュータ１５のモニタＤ２の画面に表示されたメッセージ入力画面Ｅ２から台紙及びメッセージを選択した。そして、管理サーバ１１は、そのメッセージを台紙により祝電の表装をした祝電データＴを生成し、プリンタ１７にて印刷した。この結果、欠席者は祝電を打つことなく、新郎新婦に祝電の表装をしたメッセージを送ることができるので、欠席者の祝電を打つ手間を低減するとともに、祝電に要する費用を低減することができる。
【００４７】
（２）  本実施形態によれば、欠席者はマウスＭ２で第２及び第３チェックボックスＣＢ２，ＣＢ３をクリックするだけの操作で、新郎新婦に祝電の表装をしたメッセージを送信することを選択することができる。この結果、簡単でありながらも、確実に新郎新婦に祝電の表装をしたメッセージを送信することができる。
【００４８】
（３）  本実施形態によれば、招待客が招待客コンピュータ１５のモニタＤ２の画面に表示された出欠情報入力画面Ｅ１にて、マウスＭ２で第２及び第３チェックボックスＣＢ２，ＣＢ３を選択したとき、管理サーバ１１は、モニタＤ２の画面にメッセージ入力画面Ｅ２を表示させた。この結果、欠席者が容易に台紙の選択、メッセージの選択または作成をすることができる。また、欠席者がメッセージの送信を忘却することを低減することができる。
【００４９】
（４）  本実施形態によれば、欠席者は、メッセージ入力画面Ｅ２のプルダウンメニューＰＤ１をマウスＭ２でクリックするのみで、所望の台紙を選択することができる。この結果、簡単でありながらも、メッセージを所望の台紙で祝電の表装にし、新郎新婦に送ることができる。
【００５０】
（５）  本実施形態によれば、欠席者は、メッセージ入力画面Ｅ２のプルダウンメニューＰＤ２をマウスＭ２でクリックするのみで、所望の定型文のメッセージを選択することができる。この結果、簡単でありながらも、所望の定型文のメッセージを祝電の表装にして新郎新婦に送ることができる。
【００５１】
（６）  本実施形態によれば、欠席者は、メッセージ入力画面Ｅ２の入力ボックスＢ２にキーボードＫ２を介して所望のメッセージを入力するのみの簡単な操作で、台紙で祝電の表装をした所望のメッセージを新郎新婦に送ることができる。
【００５２】
（７）  本実施形態によれば、管理サーバ１１は、出欠情報３７に応じて招待客コンピュータ１５にメッセージ入力画面Ｅ２を送信した。この結果、管理サーバ１１と招待客コンピュータ１５との間でやり取りする情報量を必要最低限にすることができる。
【００５３】
（８）  本実施形態によれば、欠席者のうちメッセージ送信を希望する者は、祝電を打たずに、所望の台紙及びメッセージを選択し、結婚サービス業者の備える管理サーバ１１が、それら台紙及びメッセージを祝電の表装をした祝電データＴとして生成し、プリンタ１７にて印刷した。そして、結婚サービス業者は、欠席者ではなく、新郎新婦にその祝電
データＴの作成に要した費用を請求した。この結果、祝電に応じた料金が、例えば、電話会社ではなく結婚サービス業者に入るため、結婚サービス業者の収入を増加させることができる。
【００５４】
（９）  本実施形態によれば、招待客が招待客コンピュータ１５のモニタＤ２の画面に表示された出欠情報入力画面Ｅ１にて、マウスＭ２で第２及び第３チェックボックスＣＢ２，ＣＢ３を選択したとき、管理サーバ１１は、モニタＤ２の画面にメッセージ入力画面Ｅ２を表示させた。この結果、管理サーバ１１は、招待客コンピュータ１５に確実にメッセージの送信を促すことから、結婚サービス業者は、確実に祝電データＴからの収入を得ることができる。
【００５５】
なお、上記実施形態は以下のように変更してもよい。
○上記実施形態では、印刷した祝電データＴは披露宴の当日披露したが、披露せずに、結婚サービス業者がその印刷した祝電データＴを新郎新婦に手渡してもよい。
【００５６】
○上記実施形態では、欠席者がメッセージ入力画面Ｅ２に入力したメッセージは、全て管理サーバ１１が祝電データＴとして祝電の表装を行った。これを、祝電の表装をするか否かを欠席者が選択し、欠席者が祝電の表装を要すると選択したメッセージのみ表装してもよい。
【００５７】
○上記実施形態では、欠席者のうちメッセージ送信を希望する者のみ、すなわち欠席者が出欠情報入力画面Ｅ１の第３チェックボックスＣＢ３をマウスＭ２でクリックしたとき、管理サーバ１１が招待客コンピュータ１５にメッセージ入力画面Ｅ２を送信し、欠席者が台紙及びメッセージを選択、入力した。これを、欠席者、すなわち出欠情報入力画面Ｅ１の第２チェックボックスＣＢ２をマウスＭ２でクリックした者の招待客コンピュータ１５全てに管理サーバ１１がメッセージ入力画面Ｅ２を送信し、欠席者全てに台紙及びメッセージの選択、入力を促してもよい。
【００５８】
○上記実施形態では、欠席者が出欠情報入力画面Ｅ１の第３チェックボックスＣＢ３をマウスＭ２でクリックしたとき、管理サーバ１１が招待客コンピュータ１５にすぐにメッセージ入力画面Ｅ２を送信し、欠席者が台紙及びメッセージを選択、入力した。これを、後日、欠席者がメッセージを送信したいとき、招待客コンピュータ１５から管理サーバ１１にメッセージ入力画面Ｅ２を送信して欲しい旨の信号（送信要求）を送信し、それを契機に招待客コンピュータ１５にメッセージ入力画面Ｅ２が管理サーバ１１から送信してもよい。このとき、招待客コンピュータ１５は、さらに、送信要求手段等として機能する。これにより、欠席者の都合に合わせて台紙及びメッセージの作成、選択をすることができる。
【００５９】
さらに、このとき、披露宴の開催日が迫っているにも関わらず、まだ欠席者が台紙及びメッセージの選択、作成をしていないとき、管理サーバ１１が招待客コンピュータ１５にリマインダを送信してもよい。これにより、欠席者の都合に合わせて台紙及びメッセージの作成、選択が可能でありながらも、欠席者が台紙及びメッセージの作成、選択を忘却することを低減することができる。
【００６０】
○上記実施形態では、招待客のうち欠席者のみ祝電データＴとして表装し、印刷するメッセージを送信することにした。これを、欠席者のみならず、招待客以外であっても新郎新婦の関係者が招待客コンピュータ１５を介して台紙及びメッセージを管理サーバ１１に送信し、管理サーバ１１がそれら台紙及びメッセージを祝電データＴとして表装し、印刷してもよい。このとき、新郎新婦の関係者には、予め新郎新婦から欠席者用ホームページ、すなわちメッセージ入力画面Ｅ２のＵＲＬが電子メール等で送信されているとする。
【００６１】
○上記実施形態では、管理サーバ１１は、欠席者毎にメッセージを所望の台紙で表装したが、全ての欠席者のメッセージ及び台紙を受け付け後にそれらメッセージをそれぞれ表装し、印刷してもよい。
【００６２】
○上記実施形態では、欠席者がメッセージ入力画面Ｅ２で台紙及びメッセージを選択、入力可能とした。これを、台紙またはメッセージのいずれかを選択可能としてもよい。
○上記実施形態では、台紙はメッセージ入力画面Ｅ２のプルダウンメニューＰＤ２をマウスＭ２でクリックすることによって選択した。これを、メッセージ入力画面Ｅ２の他に、台紙選択画面として何種類かの台紙の画像をモニタＤ２の画面に表示させ、マウスＭ２でクリックすることによって、台紙を選択してもよい。
【００６３】
○上記実施形態では、台紙はメッセージ入力画面Ｅ２のプルダウンメニューＰＤ２をマウスＭ２でクリックすることによって選択した。これを、メッセージ入力画面Ｅ２の他に、台紙描画画面として欠席者が台紙の画像を描画可能な画面をモニタＤ２の画面に表示させ、マウスＭ２やキーボードＫ２により台紙を描画してもよい。
【００６４】
○上記実施形態では、新郎新婦が使用する第１クライアントは主催者コンピュータ１３、招待客が使用する第２クライアントは招待客コンピュータ１５であり、いずれもコンピュータであった。これを、コンピュータに限らず、携帯電話、ＰＤＡ等でもよく、各種データを入力するための入力手段、各種データを閲覧するための出力手段及び各種データを送受信するための通信手段を有していればよい。
【００６５】
○上記実施形態では、管理サーバ１１とプリンタ１７とはＵＳＢケーブル等のケーブルＣで接続されていたが、インターネットや社内ＬＡＮ（Local Area Network）等のネットワークを介して接続されていてもよい。
【００６６】
○上記実施形態では、管理サーバ１１、主催者コンピュータ１３及び招待客コンピュータ１５とがそれぞれインターネット等のネットワークＩで接続されていた。このネットワークＩは、インターネットに限らず、社内ＬＡＮ等で接続されていてもよい。
【００６７】
○上記実施形態では、プリンタ１７は、レーザプリンタであったが、これに限らず、インクジェット式プリンタ、熱転写式プリンタ等のプリンタであってもよい。
○上記実施形態では、祝電データＴをプリンタ１７にて印刷したが、これに限らず、祝電データＴを出力機器としてのプロジェクタにて投射して、披露宴会場に備えられたスクリーン等に投影したり、出力機器としての液晶や有機ＥＬ等の画面に出力したりしてもよい。
【００６８】
○上記実施形態では、式典は結婚式及び披露宴、メッセージ４３は祝電であった。これに限らず、式典は、葬式、法事、同窓会、宴会等でもよく、予め主催者が招待客をもてなすために何らかの準備をするものであればよい。このとき、メッセージ４３は、弔電、単なる電報等、欠席者や主催者の関係者が主催者に送信するメッセージであればよい。
【図面の簡単な説明】
【００６９】
【図１】本実施形態のメッセージ表装システム概略図。
【図２】同じく、主催者コンピュータの概略図。
【図３】同じく、招待客コンピュータの概略図。
【図４】同じく、プリンタの概略図。
【図５】同じく、招待客データ記憶部の説明図。
【図６】同じく、出欠情報入力画面の画面図。
【図７】同じく、メッセージ入力画面の画面図。
【図８】同じく、メッセージ表装処理の処理手順の説明図。
【符号の説明】
【００７０】
１１…管理サーバ、１２…ＣＰＵ、１３…主催者コンピュータ、１５…招待客コンピュータ、１７…プリンタ、２１…招待客データ記憶部、２３…台紙データ記憶部、２５…メッセージデータ記憶部、３１…第１顧客識別情報、３３…第２顧客識別情報、３７…出欠情報、３９…メッセージ有無、４１…台紙、４３…メッセージ、Ｅ１…出欠情報入力画面、Ｅ２…メッセージ入力画面、Ｔ…祝電データ、Ｉ…ネットワーク。
【図１】
2007034527.tif 000003
【図２】
2007034527.tif 000004
【図３】
2007034527.tif 000005
【図４】
2007034527.tif 000006
【図５】
2007034527.tif 000007
【図６】
2007034527.tif 000008
【図７】
2007034527.tif 000009
【図８】
2007034527.tif 000010